(57)【特許請求の範囲】
【請求項１】
円錐台を高さ方向に裁断した形状の一対の屈曲保持体から成り、双方の屈曲保持体を互いに一方の裁断面の斜辺部において開閉自在に連結すると共に、他方の裁断面の斜辺部にケーブル嵌着部を有するケーブル保持部をそれぞれ付設してなり、
フラットケーブルを、前記ケーブル保持部に開設したケーブル嵌着部に挿通しかつ前記屈曲保持体の円錐面状の周壁上に位置付けて、該周壁に沿って屈曲して、該フラットケーブルの方向転換を行うことを特徴とするフラットケーブル用方向転換具。
【請求項２】
双方の屈曲保持体が互いに一方の裁断面の斜辺部において可撓性ヒンジにより開閉自在に連結され、一方の屈曲保持体に設けた係止部と他方の屈曲保持体に形成した結合部とを係合させて結合固定するようにした請求項１に記載のフラットケーブル用方向転換具。
【発明の詳細な説明】
【０００１】
【発明の属する技術分野】
本発明は、フラットケーブルの方向を転換するために使用されるフラットケーブル用方向転換具に関する。
【０００２】
【従来の技術】
従来、フラットケーブルを配索する際に、フラットケーブルの方向を転換する場合は、フラットケーブルを適当な角度で折り返したり、図５に示すような、フラットケーブル用保護具を使用することが、実開平４−２１１３１号公報に提案されている。
この保護具は、ヒンジ部ａを介して連結された２枚の保護板ｂ、ｂから成るもので、保護板ｂとｂとの間において、図６に示すように、フラットケーブルｃを折り返して形成された重畳部ｄを挟持するようにしたものである。
【０００３】
しかしながら、この保護具を使用する場合は、予めフラットケーブルを所定の角度に折り曲げておく必要があるため作業に手間取ることや、フラットケーブルを１８０°折り曲げて固定するので内蔵する導体を損傷して電気回路に障害を及ぼすこともある。さらに、図７に示すように、鈍角に転換するときは大型の保護板ｂ′を有する保護具が必要になり、その収容空間や操作が困難となるなどの問題点を有している。
【０００４】
【発明が解決しようとする課題】
本発明は、上記の問題点に着目してなされたもので、フラットケーブルの導体に過度の歪みを与えることなく、容易に方向の転換を行うことのできるフラットケーブル用方向転換具を提供することを課題とする。
【０００５】
【課題を解決するための手段】
前記の課題を達成するため、本発明は、円錐台を高さ方向に裁断した形状の一対の屈曲保持体から成り、双方の屈曲保持体を互いに一方の裁断面の斜辺部において開閉自在に連結すると共に、他方の裁断面の斜辺部にケーブル嵌着部を有するケーブル保持部をそれぞれ付設してなり、フラットケーブルを、前記ケーブル保持部に開設したケーブル嵌着部に挿通しかつ前記屈曲保持体の円錐面状の周壁上に位置付けて、該周壁に沿って屈曲して、該フラットケーブルの方向転換を行うことを特徴とする。
【０００６】
請求項２に記載したように、双方の屈曲保持体が互いに一方の裁断面の斜辺部において可撓性ヒンジにより開閉自在に連結され、一方の屈曲保持体に設けた係止部と他方の屈曲保持体に形成した結合部とを係合させて結合固定するようにすることが好ましい。
【０００７】
請求項１に記載した発明のフラットケーブル用方向転換具は、円錐台を高さ方向に裁断した形状の一対の屈曲保持体を互いに一方の裁断面の斜辺部において開閉自在に連結してあり、裁断面の斜辺部に設けたケーブル嵌着部から挿通されたフラットケーブルを屈曲保持体の周壁に沿って屈曲させて、その方向を転換するようにしている。円錐台状の屈曲保持体の傾斜を変えることにより、フラットケーブルの屈折角度を調節することができる。
【０００８】
【発明の実施の形態】
図１および図２は、本発明の一実施の形態に係わるフラットケーブル用方向転換具Ｄを示す斜視図である。
フラットケーブル用方向転換具Ｄは、円錐台を高さ方向に４分の１に裁断した形状の一対の屈曲保持体１８、１８′から成る。
【０００９】
屈曲保持体１８、１８′は、互いに一方の裁断面１９、１９′の斜辺部１９ａ、１９ａ′において、薄肉部で一体的に形成された可撓性ヒンジ２０を介して開閉自在に連結されている。屈曲保持体１８、１８′の他方の裁断面２１、２１′の斜辺部２１ａ、２１ａ′には、ケーブル保持部２２、２２′がそれぞれ付設され、ケーブル保持部２２、２２′には、フラットケーブル８を挿通できる幅に開口したケーブル嵌着部２３、２３′が開設されている。
【００１０】
一方の屈曲保持体１８の側壁２４には、係止爪を形成した係止部２５が突設されており、他方の屈曲保持体１８′の側壁２４′には、係止部２５の係止爪を嵌入する孔２６ａを有する結合部２６が付設されている。
【００１１】
図３および図４は、上記のフラットケーブル用方向転換具Ｄを用いてフラットケーブル８の方向転換を行う方法を示す説明図である。
フラットケーブル用方向転換具Ｄの使用法は、先ず、図２に示した状態、すなわち、屈曲保持体１８、１８′相互を開いておき、図３に示すように、フラットケーブル８をケーブル嵌着部２３、２３′に挿通する。
【００１２】
次いで、図４に示すように、屈曲保持体１８、１８′相互を回動させて屈曲保持体１８、１８′相互を閉じると、フラットケーブル８は、屈曲保持体１８、１８′の円錐面状の周壁２７、２７′に沿って屈曲し、係止部２５および結合部２６側において高屈曲されるため、フラットケーブル８が曲げられてその方向が転換される。屈曲保持体１８、１８′相互が閉じた状態で、結合部２６の孔２６ａに係止部２５を嵌入して係止することにより、フラットケーブル８を固定する。
【００１３】
【発明の効果】
本発明のフラットケーブル用方向転換具は、フラットケーブルを予め折り曲げる必要がなく、フラットケーブルの導体に大きな歪みを与えることなく方向転換ができ、ケーブルの損傷が発生せず、小型、軽量で操作も容易であり、複数個使用することにより、任意の方向へ簡単に転換させることが可能であるなどの利点がある。
【図面の簡単な説明】
【図１】本発明の一実施の形態を示すフラットケーブル用方向転換具の斜視図である。
【図２】図１の屈曲保持体相互を開いた状態を示す斜視図である。
【図３】図２のフラットケーブル用方向転換具にフラットケーブルを挿通した状態を示す説明図である。
【図４】図３のフラットケーブルを挿通したフラットケーブル用方向転換具を閉じてフラットケーブルの方向を転換した状態を示す説明図である。
【図５】従来のフラットケーブル用保護具の斜視図である。
【図６】図５のフラットケーブル用保護具によりフラットケーブルを挟持した状態を示す説明図である。
【図７】図５のフラットケーブル用保護具を用いてフラットケーブルの方向を鈍角に転換する場合の保護板の形状を示す説明図である。
【符号の説明】
Ｄ                フラットケーブル用方向転換具
８                フラットケーブル
１８、１８′      屈曲保持体
１９、１９′      一方の裁断面
１９ａ、１９ａ′  斜辺部
２０              可撓性ヒンジ
２１、２１′      他方の裁断面
２１ａ、２１ａ′  斜辺部
２２、２２′      ケーブル保持部
２３、２３′      ケーブル嵌着部
２５              係止部
２６              結合部
【図１】
0003834249.tif 000002
【図２】
0003834249.tif 000003
【図３】
0003834249.tif 000004
【図４】
0003834249.tif 000005
【図５】
0003834249.tif 000006
【図６】
0003834249.tif 000007
【図７】
0003834249.tif 000008